(57)【特許請求の範囲】
【請求項１】
培地に植栽された植物を局所的に冷却又は加温するための育成補助装置であって、
内部に環境温度よりも低温又は高温の液体が流れる１又は複数の通水管を備え、
前記通水管は断面四角形状を有する長尺体であり、前記通水管の断面四角形状の少なくとも１辺が前記植物に培地上で近接又は接触する位置に配置され、
前記通水管は、可撓性を有する波付管で形成され、外面において前記植物の少なくとも一部を配置する凹部を備えてなり、前記通水管の長手方向に沿って前記凹部が複数形成されていることを特徴とする育成補助装置。
【請求項２】
培地に植栽された植物を局所的に冷却又は加温するための育成補助装置であって、
内部に環境温度よりも低温又は高温の液体が流れる１又は複数の通水管を備え、
前記通水管は断面四角形状を有する長尺体であり、前記通水管の断面四角形状の一辺が前記培地表面に接触するように配置され、
前記通水管は、可撓性を有する波付管で形成され、外面において前記植物の少なくとも一部を配置する凹部を備えてなり、前記通水管の長手方向に沿って前記凹部が複数形成されていることを特徴とする育成補助装置。
【請求項３】
前記通水管の断面四角形状の他の１辺が前記植物に近接又は接触するように配置されることを特徴とする請求項２に記載の育成補助装置。
【請求項４】
培地に植栽された植物を局所的に冷却又は加温して育成するための植物育成装置であって、
植物が植栽された、又は、植物が植栽される培地と、
環境温度よりも低温又は高温の液体を供給可能な給水装置に接続され、前記液体が内部を通過する通水管と、を備え、
前記通水管は断面四角形状を有する長尺体であり、前記通水管の断面四角形状の少なくとも１辺が前記植物に培地上で近接又は接触する位置に配置され、
前記通水管は、可撓性を有する波付管で形成され、外面において前記植物の少なくとも一部を配置する凹部を備えてなり、前記通水管の長手方向に沿って前記凹部が複数形成されていることを特徴とする植物育成装置。
【請求項５】
培地に植栽された植物を局所的に冷却又は加温して育成するための植物育成装置であって、
植物が植栽された、又は、植物が植栽される培地と、
環境温度よりも低温又は高温の液体を供給可能な給水装置に接続され、前記液体が内部を通過する通水管と、を備え、
前記通水管は断面四角形状を有する長尺体であり、前記通水管の断面四角形状の１辺が前記培地表面に接触するように配置され、
前記通水管は、可撓性を有する波付管で形成され、外面において前記植物の少なくとも一部を配置する凹部を備えてなり、前記通水管の長手方向に沿って前記凹部が複数形成されていることを特徴とする植物育成装置。
【請求項６】
前記植物はイチゴであり、前記イチゴのクラウン部が前記通水管によって加温又は冷却されることを特徴とする請求項４又は５に記載の植物育成装置。
【発明の詳細な説明】
【技術分野】
【０００１】
本発明は、培地に植栽された植物を局所的に冷却又は加温することにより、植物の育成を補助する育成補助装置及び植物育成装置に関する。
【背景技術】
【０００２】
野菜、果物等の植物をビニールハウスや工場等の屋内の栽培空間で栽培する際、植物を効果的に育成又は収穫すべく、栽培空間の温度調整が一般的に行われている。従来、夏季及び冬季において、栽培空間を冷却又は加温して栽培空間内の気温を植物の成長に適切な温度に維持するために冷暖房設備が用いられていた。しかしながら、このような冷暖房設備は、植物のみならず栽培空間全体を冷却又は加温するものであるので非常に効率が悪いとされる。そこで、植物を効率的に温度管理すべく、植物を局所的に冷却又は加温して植物の育成を補助する種々の試みが為されている。
【０００３】
例えば、特許文献１は、培土温度の調整を行うことにより、収穫量増加を図った培土温度調整システムを開示する。該培土温度調整システム（５）は、複数のイチゴ（４）が並べて植えられた培土の温度を調整する。培土温度調整システム（５）は、内部に水が流れ、断面円形状を有する第１及び第２のパイプ（６，７）と、該第１及び第２のパイプ（６，７）の端部同士を連結する連結部（８）とを備えている。第１のパイプ（６）が、培土上に複数のイチゴ（４）の並び方向に沿って配置され、第２のパイプ（７）が第１のパイプ（６）下側の培土内に並び方向に沿って配置される。そして、第１のパイプ（６）及び第２のパイプ（７）に流す水の温度を調整することにより、培土温度の調整が行われる。なお、（）内に特許文献１の符号を示した。
【先行技術文献】
【特許文献】
【０００４】
【特許文献１】特開２０１４−１７６３３８号公報
【発明の概要】
【発明が解決しようとする課題】
【０００５】
しかしながら、従来のシステム（装置）では、パイプ（通水管）の断面形状が円形であるので、培土上に配置された通水管（第１のパイプ）が、培土表面又は植物（例えば、イチゴのクラウン部）に周方向の一点でしか接触又は最接近することができない。このように断面円形状の通水管を用いたことにより、植物への接触面積又は近接面積が極めて小さくなることから、培地上に配置される通水管のみでは、培土又は植物を効率良く加温又は冷却することができない。それ故、従来のシステムは、少なくとも２本の通水管を準備し、一方の通水管（第１のパイプ）を培地上に配置するとともに、他方の通水管（第２のパイプ）を地中に埋設することを必要としていた。すなわち、従来技術では、２つの役割を有する通水管を配設することが必要であった。そのため、システムが複雑化し、ランニングコスト等の負担が比較的大きくなることが従来のシステムの課題であった。
【０００６】
本発明は、上記課題を解決するためになされたものであり、その目的は、より効率的に植物を冷却又は加温して植物の育成を補助する育成補助装置、及び、該育成補助装置を備える植物育成装置を提供することにある。
【課題を解決するための手段】
【０００７】
請求項１に記載の育成補助装置は、培地に植栽された植物を局所的に冷却又は加温するための育成補助装置であって、
内部に環境温度よりも低温又は高温の液体が流れる１又は複数の通水管を備え、
前記通水管は断面四角形状を有する長尺体であり、前記通水管の断面四角形状の少なくとも１辺が前記植物に培地上で近接又は接触する位置に配置され、
前記通水管は、可撓性を有する波付管で形成され、外面において前記植物の少なくとも一部を配置する凹部を備えてなり、前記通水管の長手方向に沿って前記凹部が複数形成されていることを特徴とする。
【０００８】
請求項２に記載の育成補助装置は、培地に植栽された植物を局所的に冷却又は加温するための育成補助装置であって、
内部に環境温度よりも低温又は高温の液体が流れる１又は複数の通水管を備え、
前記通水管は断面四角形状を有する長尺体であり、前記通水管の断面四角形状の一辺が前記培地表面に接触するように配置され、
前記通水管は、可撓性を有する波付管で形成され、外面において前記植物の少なくとも一部を配置する凹部を備えてなり、前記通水管の長手方向に沿って前記凹部が複数形成されていることを特徴とする。
【０００９】
請求項３に記載の育成補助装置は、請求項２に記載の育成補助装置において、前記通水管の断面四角形状の他の１辺が前記植物に近接又は接触するように配置されることを特徴とする。
【００１０】
【００１１】
【００１２】
【００１３】
請求項４に記載の植物育成装置は、培地に植栽された植物を局所的に冷却又は加温して育成するための植物育成装置であって、
植物が植栽された、又は、植物が植栽される培地と、
環境温度よりも低温又は高温の液体を供給可能な給水装置に接続され、前記液体が内部を通過する通水管と、を備え、
前記通水管は断面四角形状を有する長尺体であり、前記通水管の断面四角形状の少なくとも１辺が前記植物に培地上で近接又は接触する位置に配置され、
前記通水管は、可撓性を有する波付管で形成され、外面において前記植物の少なくとも一部を配置する凹部を備えてなり、前記通水管の長手方向に沿って前記凹部が複数形成されていることを特徴とする。
【００１４】
請求項５に記載の植物育成装置は、培地に植栽された植物を局所的に冷却又は加温して育成するための植物育成装置であって、
植物が植栽された、又は、植物が植栽される培地と、
環境温度よりも低温又は高温の液体を供給可能な給水装置に接続され、前記液体が内部を通過する通水管と、を備え、
前記通水管は断面四角形状を有する長尺体であり、前記通水管の断面四角形状の１辺が前記培地表面に接触するように配置され、
前記通水管は、可撓性を有する波付管で形成され、外面において前記植物の少なくとも一部を配置する凹部を備えてなり、前記通水管の長手方向に沿って前記凹部が複数形成されていることを特徴とする。
【００１５】
【００１６】
請求項６に記載の植物育成装置は、請求項４又は５に記載の植物育成装置において、前記植物はイチゴ苗であり、前記イチゴ苗のクラウン部が前記通水管によって加温又は冷却されることを特徴とする。
【発明の効果】
【００１７】
本発明の請求項１に記載の育成補助装置によれば、通水管は断面四角形状を有する長尺体であり、通水管の断面四角形状の少なくとも１辺が植物に近接又は接触する位置に配置されることを特徴とする。すなわち、本発明の育成補助装置は、断面四角形状に形成された通水管が辺（側面）で植物に近接又は接触するので、植物への近接面積又は接触面積を比較的大きく確保し、簡易な構成で植物を効率的に冷却又は加温することができる。また、通水管が可撓性を有する波付管で形成されてなることにより、例えば、屈曲又は屈折するように植栽された植物の配列に沿って、波付管を適宜配置することが可能である。さらに、通水管の凹部に植物の少なくとも一部を配置することにより、通水管と植物との近接面積及び接触面積を効果的に増加させ、植物をより一層、効率的に冷却又は加温することができる。そして、通水管の長手方向に沿って凹部が連続的に形成されているので、通水管の長手方向に沿って植栽された複数の植物を各凹部に収容し、より効率的な冷却又は加温を提供することができる。
【００１８】
本発明の請求項２に記載の育成補助装置によれば、通水管は断面四角形状を有する長尺体であり、通水管の断面四角形状の一辺が培地表面に接触するように配置されることを特徴とする。すなわち、本発明の育成補助装置は、断面四角形状に形成された通水管が辺（側面）で培地表面に接触するので、培地への接触面積を比較的大きく確保し、培地を簡易な構成で効率的に冷却又は加温することができる。その結果、植物の温度調節を培地を介して効率的に行うことが可能となる。また、通水管が可撓性を有する波付管で形成されてなることにより、例えば、屈曲又は屈折するように植栽された植物の配列に沿って、波付管を適宜配置することが可能である。さらに、通水管の凹部に植物の少なくとも一部を配置することにより、通水管と植物との近接面積及び接触面積を効果的に増加させ、植物をより一層、効率的に冷却又は加温することができる。そして、通水管の長手方向に沿って凹部が連続的に形成されているので、通水管の長手方向に沿って植栽された複数の植物を各凹部に収容し、より効率的な冷却又は加温を提供することができる。
【００１９】
本発明の請求項３に記載の育成補助装置によれば、請求項２に記載の発明に加え、断面四角形状に形成された通水管の辺（側面）で植物に近接又は接触するので、植物への近接面積又は接触面積を比較的大きく確保し、植物をより一層、効率的に冷却又は加温することができる。
【００２０】
【００２１】
【００２２】
【００２３】
本発明の請求項４に記載の植物育成装置によれば、通水管は断面四角形状を有する長尺体であり、通水管の断面四角形状の少なくとも１辺が植物に近接又は接触する位置に配置されることを特徴とする。すなわち、本発明の植物育成装置は、断面四角形状に形成された通水管が辺（側面）で植物に近接又は接触するので、植物への近接面積又は接触面積を比較的大きく確保し、簡易な構成で植物を効率的に冷却又は加温し、植物をより望ましい温度環境で育成することができる。また、通水管が可撓性を有する波付管で形成されてなることにより、例えば、屈曲又は屈折するように植栽された植物の配列に沿って、波付管を適宜配置することが可能である。さらに、通水管の凹部に植物の少なくとも一部を配置することにより、通水管と植物との近接面積及び接触面積を効果的に増加させ、植物をより一層、効率的に冷却又は加温することができる。そして、通水管の長手方向に沿って凹部が連続的に形成されているので、通水管の長手方向に沿って植栽された複数の植物を各凹部に収容し、より効率的な冷却又は加温を提供することができる。
【００２４】
本発明の請求項５に記載の植物育成装置によれば、通水管は断面四角形状を有する長尺体であり、通水管の断面四角形状の一辺が培地表面に接触するように配置されることを特徴とする。すなわち、本発明の植物育成装置は、断面四角形状に形成された通水管が辺（側面）で培地表面に接触するので、培地への接触面積を比較的大きく確保し、簡易な構成で培地を効率的に冷却又は加温することができる。その結果、植物をより望ましい温度環境で育成することができる。また、通水管が可撓性を有する波付管で形成されてなることにより、例えば、屈曲又は屈折するように植栽された植物の配列に沿って、波付管を適宜配置することが可能である。さらに、通水管の凹部に植物の少なくとも一部を配置することにより、通水管と植物との近接面積及び接触面積を効果的に増加させ、植物をより一層、効率的に冷却又は加温することができる。そして、通水管の長手方向に沿って凹部が連続的に形成されているので、通水管の長手方向に沿って植栽された複数の植物を各凹部に収容し、より効率的な冷却又は加温を提供することができる。
【００２５】
【００２６】
本発明の請求項６に記載の植物育成装置によれば、請求項４又は５に記載の発明に加え、イチゴ育成における温度管理をより効率的に行うことが可能とである。
【図面の簡単な説明】
【００２７】
【図１】本発明の一実施形態の植物育成装置の概略斜視図。
【図２】図１の植物育成装置の平面図。
【図３】図２の植物育成装置の（ａ）Ａ−Ａ断面図及び（ｂ）その部分拡大図。
【図４】図３（ｂ）の植物育成装置のＢ−Ｂ断面図。
【図５】図１の植物育成装置を構成する育成補助装置の分解斜視図。
【図６】本発明の一実施形態の植物育成装置の全体構成を示す模式図。
【図７】本発明の別実施例の植物育成装置の概略断面図。
【図８】本発明の別実施例の植物育成装置の概略断面図。
【図９】本発明の別実施例の植物育成装置の概略断面図。
【図１０】本発明の別実施例の植物育成装置の概略斜視図。
【発明を実施するための形態】
【００２８】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２９】
本発明の一実施形態の植物育成装置１０は、培地に植栽された植物を局所的に冷却又は加温して育成するものである。そして、該植物育成装置１０に備えられた育成補助装置１００は、植物の温度管理を効率的に行うことで、その育成を補助及び促進するように構成されている。本実施形態では、植物は、ハウス環境にて架台上で高所栽培されたイチゴ苗Ｐである。一般に、イチゴ苗Ｐのハウス栽培において、高温となる夏場にはイチゴ苗Ｐを冷やし、低温となる冬場にはイチゴ苗Ｐを温めることが重要である。そして、イチゴ苗Ｐを局所的に温度管理するには、株元付近のクラウン部（生長点）Ｐ１（図４参照）を重点的に冷却又は加温することが効率的であることが知られている。ただし、本発明の技術的思想は、他の果物、野菜、草花等の植物や異なる植栽環境に対する温度管理にも応用可能であり、本発明は以下に説明する実施形態に限定されないことは云うまでもない。
【００３０】
図１は、本発明の一実施形態の植物育成装置１０の概略斜視図である。図２は、該植物育成装置１０の概略平面図である。図３（ａ）（ｂ）は、該植物育成装置１０の横（Ａ−Ａ）断面図及びその部分拡大図である。図４は、該植物育成装置１０の水平（Ｂ−Ｂ）断面図である。
【００３１】
図１に示すとおり、植物育成装置１０は、ビニールハウス等の屋内で地面から離隔して高所設置されたコンテナ１１と、イチゴ苗Ｐを植栽するために該コンテナ１１に形成された培地１２と、該培地１２上に設置された育成補助装置１００とを備えてなる。
【００３２】
コンテナ１１は、上方に開口した矩形状の筐体であり、所定量の培土を保持可能である。また、コンテナ１１は、一辺が長い略直方体状に構成されており、平面視（図２参照）において幅方向及び長手方向を有している。そして、コンテナ１１に培土が充填されることにより、コンテナ１１の上面に培地１２が定められる。本実施形態では、コンテナ１１の幅は、幅方向に２つのイチゴ苗Ｐを配列可能な寸法（例えば、約０．４ｍ）で定められている。他方、コンテナ１１の全長は、長手方向に沿って多数のイチゴ苗Ｐを配置可能な寸法（例えば、約１０ｍ）で定められている。さらに、コンテナ１１は、複数の脚からなる架台１３によって地面から浮いた状態で高所にて支持されている（図６参照）。これにより、栽培者は、腰を曲げることなく作業可能である。なお、本実施形態のコンテナ１１は、発泡スチロール等の発泡樹脂からなるが、他の硬質の合成樹脂や木材等の任意の材料で構成されてもよい。
【００３３】
培地１２は、所定幅で長手方向に延在する領域である。図２に示すように、培地１２には、複数のイチゴ苗Ｐがコンテナ１１の長手方向に沿って所定間隔で連続して植栽されている。そして、２つのイチゴ苗Ｐが培地１２の幅方向の両端近傍に配置されている。つまり、植物育成装置１０の培地１２上には、２列のイチゴ苗Ｐの苗列がそれぞれ直線状に配置されている。図３（ｂ）及び図４に示すように、各イチゴ苗Ｐは、クラウン部Ｐ１が培土中に隠れないように浅く植え付けられている。
【００３４】
育成補助装置１００は、各イチゴ苗Ｐを局所的に冷却又は加温可能であるように培地１２上に設置されている。特には、育成補助装置１００は、イチゴ苗Ｐのクラウン部Ｐ１を直接的に冷却又は加温するとともに、培地１２自体を冷却又は加温することによってイチゴ苗Ｐを間接的に冷却又は加温するように設置されている。具体的には、育成補助装置１００は、内部に冷水又は温水（環境温度よりも低温又は高温の液体）が流れる通水管１０１と、該通水管１０１に冷水又は温水を給水するための給水装置１０３とを備えてなる。本実施形態では、２本の通水管１０１が、イチゴ苗Ｐの苗列に沿って略直線的に延在しているとともに、各イチゴ苗Ｐに近接又は接触するように培地１２上に載置されている。各通水管１０１は、継手部１０２を介して給水装置１０３の配管１０３ａに接続されている。そして、該配管１０３ａによって冷水又は温水が通水管１０１に供給されて、通水管１０１内部を液体が流れている。なお、冷水又は温水は、環境温度又は外気温に対して相対的に低温又は高温の液体を意味し、特定の温度の液体を差し示すものではない。また、本実施形態では、通水管内部に水が供給されるが、水に替えてオイル等の他の液体が採用されてもよい。
【００３５】
通水管１０１は、断面四角形状を有する可撓性の長尺体である。より具体的には、該通水管１０１は、凹部１０１ａ及び凸部１０１ｂが長尺方向に交互に連続した角形の波付可撓管からなる。図３に示すように、通水管１０１の横断面は略正方形状に形成されている。そして、各通水管１０１がイチゴ苗Ｐの各苗列に添うように長手方向に沿って直線的に培地１２上に配置されている。この植物育成装置１０の横断面において、通水管１０１の一辺がイチゴ苗Ｐのクラウン部Ｐ１に近接又は接触するとともに、通水管１０１の他の一辺が培地１２表面に接触している。すなわち、該通水管１０１は、イチゴ苗Ｐのクラウン部Ｐ１及び培地１２の両方を冷却又は加温するように機能している。なお、上記「近接」するとは、温度調節の対象となる植物が、液体によって冷却又は加温された通水管の冷気又は熱気が伝達可能な距離を隔てて通水管及び植物が配置された状態を示している。
【００３６】
図４に示すように、該植物育成装置１０の平面視（水平断面）において、通水管１０１の凹部１０１ａ内にイチゴ苗Ｐの一部（クラウン部Ｐ１）が配置されている。すなわち、通水によって冷却又は加温された通水管１０１の管壁が３方向からクラウン部Ｐ１に近接又は接触している。これにより、クラウン部Ｐ１が効率的に冷却又は加温され得る。また、本実施形態では、凹部１０１ａ及び凸部１０１ｂが交互に連続的に形成されているので、各イチゴ苗Ｐを収容する凹部１０１ａが任意に選択され得る。さらに、通水管１０１の管壁に凹凸が形成されていることにより、直状の管と比較して、培地１２表面に接触及び近接する管壁の面積が比較的大きく確保されている。これにより、培地１２が効率的に冷却又は加温され得る。
【００３７】
なお、本実施形態の通水管１０１は、（限定されないが）ポリエチレン、塩化ビニル等の合成樹脂で形成されたものである。そして、本実施形態では、凸部１０１ｂの一辺が凹部１０１ａの一辺の約１．３５倍となるように定められている。さらに、本実施形態では、凹部１０１ａの一辺が約１００ｍｍの通水管１０１が採用された。しかしながら、本発明の通水管の寸法形状は、本発明の技術的範囲内であれば任意に変更可能であり、植物の種類や培地の面積に応じて適宜選択される。
【００３８】
図５は、育成補助装置１００の通水管１０１、継手部１０２及び配管１０３ａの分解斜視図である。図５に示すとおり、通水管１０１の給水側の角形の端部は、継手部１０２を介して円形の配管１０３ａ端部に接続されている。具体的には、継手部１０２は、小径から大径へと変換する第１及び第２の継手１０２ａ、１０２ｂと、円形を角形に変換する第３の継手１０２ｃとからなる。これら第１，第２，第３の継手１０２ａ，１０２ｂ，１０２ｃを介することで、径及び形状が異なる通水管１０１及び配管１０３ａが互いに接続されている。これにより、配管１０３ａから通水管１０１へと冷水、温水等の液体を供給することが可能となっている。
【００３９】
図６は、本実施形態の植物育成装置１０のシステム全体を示す模式図である。図６に示すように、給水装置１０３は、継手部１０２を介して通水管１０１に接続された配管１０３ａと、該配管１０３ａが接続された循環ポンプ１０３ｂとを備える。循環ポンプ１０３ｂは吐出口及び吸入口を備え、それぞれに上流側及び下流側の配管１０３ａが接続されている。そして、吐出口側の配管１０３ａが通水管１０１の上流端に接続され、吸入口側の配管１０３ａが通水管１０１の下流端に接続されている。すなわち、循環ポンプ１０３ｂの吐出口から送り出された液体が吐出口側の配管１０３ａを通って通水管１０１に通水される。そして、通水管１０１の下流端から流出した液体が、吸入口側の配管１０３ａを通って循環ポンプ１０３ｂの吸入口に流入する。循環ポンプ１０３ｂに流入した液体は、再び吐出口から通水管１０１に向けて送り出される。このようにして、本実施形態の植物育成装置１０では、液体（冷水又は温水）の循環システムが構成されている。
【００４０】
夏季において、植物育成装置１０は循環ポンプ１０３ｂにより冷水を循環させるように動作する。他方、冬季において、植物育成装置１０は循環ポンプ１０３ｂにより温水を循環させるように動作する。本実施形態では、通水管１０１の一部（水平部分）が地中に埋設されている。一般に、地中の温度は、年間を通して約１５℃程度とほぼ一定であり、夏季においては地中の方が環境温度（外気温）よりも低温であり、冬季においては地中の方が環境温度よりも高温である。よって、地中に埋設された配管１０３ａ内において、夏季には、液体が地中で放熱して外気よりも低温となることで冷水が生成される。他方、冬季には、液体が地中で採熱して外気よりも高温となることで温水が生成される。すなわち、本実施形態の植物育成装置１０は、水温の調整に地中熱を効果的に利用することにより、冷水又は温水を生成してイチゴ苗Ｐの温度調節を行っている。
【００４１】
以下、本発明に係る一実施形態の植物育成装置１０及び育成補助装置１００の作用効果について説明する。
【００４２】
本実施形態の植物育成装置１０及び育成補助装置１００によれば、通水管１０１は断面四角形状を有する波付可撓管であり、通水管１０１の断面四角形状の少なくとも１辺がイチゴ苗Ｐ及び培地１２に近接又は接触する位置に配置されることを特徴とする。すなわち、断面四角形状に形成された通水管１０１が辺（側面）でイチゴ苗Ｐ及び培地１２に近接又は接触するので、丸型（断面円形）の通水管を使用した従来技術と比べて、イチゴ苗Ｐ及び培地１２への近接面積又は接触面積を比較的大きく確保することができる。なぜなら、従来の断面円形の通水管がイチゴ苗及び培地に対して（横断面において）点でしか接触又は最近接することが出来ないのに対し、断面矩形状の通水管１０１は、辺（線）でイチゴ苗Ｐ及び培地１２に近接又は接触できるからである。さらに、通水管１０１には、イチゴ苗Ｐのクラウン部Ｐ１を収容可能な複数の凹部１０１ａが設けられている。クラウン部Ｐ１が凹部１０１ａ内に配置されることにより、管壁がクラウン部Ｐ１に３方向から近接又は接触している。すなわち、通水管１０１の凹部１０１ａにイチゴ苗Ｐの一部を配置することにより、加温又は冷却された通水管１０１とイチゴ苗Ｐとの近接面積及び接触面積をより一層増加させることができる。したがって、本実施形態の植物育成装置１０は、イチゴ苗Ｐの育成に重要な直接的又は間接的な温度調整をより効率的に行うことが可能である。
【００４３】
［変形例］
本発明は、上記実施形態に限定されず、種々の変形例を取り得る。以下、本発明の変形例を説明する。なお、各変形例において、三桁で示される構成要素において下二桁が共通する構成要素は、説明がない限り、同一又は類似の特徴を有し、その説明を一部省略する。
【００４４】
（１）上記実施形態の植物育成装置１０及び育成補助装置１００では、冷却又は加温された通水管１０１の管壁が植物（イチゴ苗Ｐ）に近接又は接触すると同時に培地１２に接触するように配置されたが、本発明は上記実施形態に限定されない。例えば、図７に示す植物育成装置２０及び育成補助装置２００では、１本の通水管２０１が培地２２に接触しているが、イチゴ苗Ｐとは接触及び近接しないように配置されている。通水管２０１は、断面長方形状の波付可撓管であり、高さよりも幅が大きくなっている。本変形例の植物育成装置２０及び育成補助装置２００は、通水管２０１の断面四角形状の一辺が培地２２表面に接触するように配置されることを特徴とする。これにより、断面四角形状に形成された通水管２０１が辺（側面）で培地２２表面に接触するので、培地２２への接触面積を比較的大きく確保し、培地２２を効率的に冷却又は加温することができる。その結果、イチゴ苗Ｐの温度調節を培地２２を介して効率的に行うことが可能である。
【００４５】
（２）上記実施形態の植物育成装置１０及び育成補助装置１００では、冷却又は加温された通水管１０１の管壁が植物（イチゴ苗Ｐ）に近接又は接触すると同時に培地１２に接触するように配置されたが、本発明は上記実施形態に限定されない。例えば、図８に示す植物育成装置３０及び育成補助装置３００では、通水管３０１は、イチゴ苗Ｐに接触又は近接しているが、培地３２とは接触しないように配置されている。通水管３０１は、実施形態の通水管１０１と同様の構成を有しているが、脚部３０４によって培地３２から離隔して支持されている。本変形例は、図８に示すように、コンテナ３１又は培地３２の幅が狭く、通水管３０１を培地３２上に載置できない場合に採用され得る。そして、本変形例においても、上記実施形態と同様に、断面四角形状に形成された通水管３０１が辺（側面）でイチゴ苗Ｐに近接又は接触するので、イチゴ苗Ｐへの近接面積又は接触面積を比較的大きく確保することができる。その結果、イチゴ苗Ｐの温度調節を効率的に行うことが可能である。
【００４６】
（３）上記実施形態の植物育成装置１０及び育成補助装置１００では、角形の波付可撓管からなる通水管１０１が採用されたが、本発明は上記実施形態に限定されない。例えば、通水管は、断面矩形状であれば、外面に凹凸がない直状の管材であってもよい。または、図９に示した植物育成装置４０及び育成補助装置４００のように、イチゴ苗Ｐの植栽位置に合わせて、意図的に凹部４０１ａを通水管４０１に形成してもよい。
【００４７】
（４）上記実施形態の植物育成装置１０では、液体が循環装置によって循環されているとともに、地中熱により温度調整されているが、本発明は実施形態に限定されない。すなわち、配管から供給された液体が通水管を通った後に排水されてもよい。また、地中熱を利用せずに、通水管の上流に冷却器又は加熱器を別途設けるなどして、冷却又は加温した液体を通水管に送り込んでもよい。
【００４８】
（５）上記実施形態の植物育成装置１０では、複数のイチゴ苗Ｐが直線状に配列されているが、複数のイチゴ苗Ｐを屈曲又は屈折するようにランダムに配置してもよい。このような場合であっても、本実施形態の育成補助装置１００の通水管１０１が、可撓性を有する波付可撓管を屈曲又は屈折配置することにより、複数のイチゴ苗Ｐに添って通水管１０１を配置することが可能である。
【００４９】
（６）本発明の育成補助装置は、他の温度調節装置と併用して使用可能である。例えば、図１０は、本発明の変形例の植物育成装置５０を示している。図１０に示すように、植物育成装置５０は、（育成補助装置１００と同様の）育成補助装置５００に加えて、イチゴ苗Ｐの局所に温度調節された気体を吹き付けて温度管理を補助する温度調節装置５５を備えてなる。温度調節装置５５は、内部に冷風又は温風が通過するとともに、該冷風又は温風をイチゴ苗Ｐの局所に向けて吹き付けるように複数の吹き出し口５５ｃを有するダクト５５ａと、該ダクト５５ａ内部で延在し、内部に冷却液又は加温液が流れる管５５ｂとを備える。管５５ｂは、ダクト５５ａ内部の気体を長尺方向に亘って冷却又は加温し、各吹き出し口５５ｃから吹き出される気体の温度を調節するように構成されている。この温度調節装置５５では、ダクト５５ａの上流側と下流側との間において、各吹き出し口５５ｃから吐出される気体に温度差が生じることが抑えられている。すなわち、該温度調整装置５５を育成補助装置５００に組み合わせて用いることにより、より効率的にイチゴ苗Ｐの温度管理が可能となる。
【００５０】
本発明は上述した実施形態や変形例に限定されるものではなく、本発明の技術的範囲に属する限りにおいて種々の態様で実施しうるものである。
【符号の説明】
【００５１】
１０        植物育成装置
１１        コンテナ
１２        培地
１３        架台
１００      育成補助装置
１０１      通水管（波付可撓管）
１０１ａ    凹部
１０１ｂ    凸部
１０２      継手部
１０３      給水装置
１０３ａ    配管
１０３ｂ    循環ポンプ
Ｐ          イチゴ苗（植物）
Ｐ１        クラウン部
【図１】
0006661146.tif 000002
【図２】
0006661146.tif 000003
【図３】
0006661146.tif 000004
【図４】
0006661146.tif 000005
【図５】
0006661146.tif 000006
【図６】
0006661146.tif 000007
【図７】
0006661146.tif 000008
【図８】
0006661146.tif 000009
【図９】
0006661146.tif 000010
【図１０】
0006661146.tif 000011